(57)【特許請求の範囲】
【請求項１】
上方付勢状態で下方移動可能に配設されたステムに装着される押下部と、
前記押下部から前方に向けて突出するとともに、その前端部に下方に向けて開口するノズル孔が形成されたノズル筒と、を備える押下ヘッドであって、
前記ノズル筒には、前記ノズル孔をその径方向の外側から囲う囲繞筒が配設され、
前記囲繞筒は、前記ノズル孔よりも下方に突出するとともに、前記ノズル孔から下方に向けて離れるに従い漸次拡径したスカート部を備え、
前記スカート部は、前記ノズル孔を前方から囲い、
前記押下ヘッドの縦断面視において、前記スカート部の内周面のうち後方を向く部分の上端と下端とを結ぶ直線の上下方向に対する傾斜角は、２０°以上４０°以下であり、
前記ノズル孔の内周面の前端部と、前記スカート部の内周面のうち後方を向く部分の下端と、の上下方向における距離は、４ｍｍ以上である、
ことを特徴とする押下ヘッド。
【請求項２】
前記囲繞筒は、前記ノズル筒および前記押下部のうち何れか一方とヒンジを介して一体成形されている、
ことを特徴とする請求項１に記載の押下ヘッド。
【請求項３】
前記囲繞筒および前記ノズル筒にはそれぞれ、互いに係合する係合部が各別に形成されている、
ことを特徴とする請求項１または２に記載の押下ヘッド。
【発明の詳細な説明】
【技術分野】
【０００１】
本発明は、押下ヘッドに関するものである。
【背景技術】
【０００２】
従来、例えば下記特許文献１に示されるような、上方付勢状態で下方移動可能に配設されたステムに装着される押下部と、前記押下部から前方に向けて突出するとともに、その前端部に内容液の吐出されるノズル孔が形成されたノズル筒と、を備える押下ヘッドが知られている。
この押下ヘッドと、前記ステムを有するポンプと、を備えた吐出器は、内容液が収容された容器の口部に装着された状態で、押下ヘッドを押下してステムを下方に移動させポンプを作動させることにより、容器内の内容液が移送されてノズル筒内を通ってノズル孔から吐出されるようになっている。
【先行技術文献】
【特許文献】
【０００３】
【特許文献１】特開２０１１−３１９２６号公報
【発明の概要】
【発明が解決しようとする課題】
【０００４】
ところで、上述した押下ヘッドにおいては、内容液を吐出後に保管している間に、ノズル孔に内容液が残存して固化する場合がある。この場合には、その後内容液を吐出する際に、ノズル孔内で既に固化した内容液の影響によって、内容液が飛散するという問題があった。特に、ノズル孔が下方に向けて開口した押下ヘッドでは、内容液が横方向に飛散するという問題があった。
【０００５】
本発明は、上述した事情に鑑みてなされたものであって、内容液の飛散を防止できる押下ヘッドを提供することを目的とする。
【課題を解決するための手段】
【０００６】
前記課題を解決するために、本発明は以下の手段を提案している。
本発明に係る押下ヘッドは、上方付勢状態で下方移動可能に配設されたステムに装着される押下部と、前記押下部から前方に向けて突出するとともに、その前端部に下方に向けて開口するノズル孔が形成されたノズル筒と、を備える押下ヘッドであって、前記ノズル筒には、前記ノズル孔をその径方向の外側から囲う囲繞筒が配設され、前記囲繞筒は、前記ノズル孔よりも下方に突出するとともに、前記ノズル孔から下方に向けて離れるに従い漸次拡径したスカート部を備え、前記スカート部は、前記ノズル孔を前方から囲い、前記押下ヘッドの縦断面視において、前記スカート部の内周面のうち後方を向く部分の上端と下端とを結ぶ直線の上下方向に対する傾斜角は、２０°以上４０°以下であり、前記ノズル孔の内周面の前端部と、前記スカート部の内周面のうち後方を向く部分の下端と、の上下方向における距離は、４ｍｍ以上である、ことを特徴とする。
【０００７】
本発明によれば、ノズル孔をその径方向の外側から囲う囲繞筒のスカート部が、ノズル孔よりも下方に突出しているため、ノズル孔からその径方向外側に向かって吐出された内容液をスカート部によって受け止めることができる。したがって、内容液の飛散を防止できる押下ヘッドを提供することができる。
しかも、スカート部は、ノズル孔から下方に向けて離れるに従い漸次拡径しているため、ノズル孔内で内容液が固化していない通常状態の吐出時に、下方に向けて吐出された内容液がスカート部の内周面に付着することを抑制できる。したがって、例えば内容液がスカート部の内周面を伝って落下したり、スカート部の内周面にごみが付着したりする等の不具合を防止することができる。
押下ヘッドがノズル孔の下方に掌を配置した状態で使用される場合には、ノズル孔内で既に固化した内容液の影響によって、内容液がノズル孔からその下端開口面に対して下方に３０°傾いた角度範囲に吐出されると、その内容液を掌によって受け止めることができないことがある。
本発明によれば、押下ヘッドの縦断面視において、スカート部の内周面のうち後方を向く部分の上端と下端とを結ぶ直線の上下方向に対する傾斜角が２０°以上４０°以下であり、かつ、ノズル孔の内周面の前端部と、スカート部の内周面のうち後方を向く部分の下端と、の上下方向における距離が４ｍｍ以上であるため、ノズル孔から前方に向かって吐出された内容液のうち、掌で受け止めることができない内容液を、スカート部によって受け止めることができる。したがって、内容液の飛散をより確実に防止することができる。
【０００８】
また、上記の押下ヘッドにおいて、前記囲繞筒は、前記ノズル筒および前記押下部のうち何れか一方とヒンジを介して一体成形されている、ことが望ましい。
本発明によれば、囲繞筒がノズル筒および押下部のうち何れか一方とヒンジを介して一体成形されているため、囲繞筒をヒンジ回りに回動させることで、囲繞筒をノズル筒に対して所定の位置に容易に配設させることができる。
【０００９】
また、上記の押下ヘッドにおいて、前記囲繞筒および前記ノズル筒にはそれぞれ、互いに係合する係合部が各別に形成されている、ことが望ましい。
本発明によれば、囲繞筒およびノズル筒にはそれぞれ、互いに係合する係合部が各別に形成されているため、囲繞筒およびノズル筒の相対的な位置ずれを確実に抑えることができる。
【発明の効果】
【００１１】
本発明によれば、内容液の飛散を防止できる押下ヘッドを提供することができる。
【図面の簡単な説明】
【００１２】
【図１】実施形態の押下ヘッドを備えた吐出器の断面図である。
【図２】実施形態の押下ヘッドの説明図であり、ノズル筒の前端部における底面図である。
【図３】実施形態の押下ヘッドの前端部の断面図である。
【発明を実施するための形態】
【００１３】
以下、本発明に係る押下ヘッドの実施形態について図面を参照して説明する。
図１に示すように、本実施形態の押下ヘッド１は、不図示のポンプを有する吐出器１０に備えられる。ポンプは、上方付勢状態で下方移動可能に配設されたステム１１を備え、ステム１１の上端部に押下ヘッド１が装着されている。なお、ポンプは、押下ヘッド１を保持可能な補助キャップ１２を備えている。また、図１に示す符号Ｏは、ステム１１の中心軸線を示しており、以下、単に軸線Ｏと記す。また、軸線Ｏ方向から見た平面視において、軸線Ｏ回りに周回する方向を周方向という。
【００１４】
押下ヘッド１は、ステム１１に装着される押下部２と、押下部２から前方に向けて突出するとともに、その前端部に下方に向けて開口するノズル孔３０が形成されたノズル筒３と、を備えている。
押下部２は、掌や指等で押し下げ操作されるヘッド本体である。押下部２は、有頂筒状の本体筒部２０と、ステム１１の上端部に装着された装着筒２５と、を備えている。
【００１５】
本体筒部２０は、平面視円形状の頂壁部２１と、頂壁部２１の外周縁から下方に向けて延びる周壁部２２と、を有する。これら頂壁部２１および周壁部２２は、軸線Ｏと同軸に配置されている。頂壁部２１の上面は、掌や指等で押圧される押圧面となっている。周壁部２２の内周面には、補助キャップ１２の外周面に形成された雄ネジ部に螺着する雌ネジ部が形成されている。これにより、本体筒部２０は、押下部２が押し下げられた位置において補助キャップ１２に螺着可能とされている。
【００１６】
装着筒２５は、頂壁部２１において周壁部２２よりも内側に位置する部分から下方に向けて延びている。装着筒２５は、軸線Ｏと同軸に配設されている。装着筒２５は、本体筒部２０よりも下方に突出している。装着筒２５は、ステム１１の上端部に液密に外嵌されている。
周壁部２２の内周面と装着筒２５の外周面との間には、補強板２４が連結されている。補強板２４は、周方向に間隔をあけて複数配設されている。
【００１７】
ノズル筒３は、押下部２の周壁部２２から軸線Ｏに直交する方向側に延びる横筒部３１と、横筒部３１の前端部から下方に向けて延びる下筒部３３と、を備えている。
横筒部３１の後端部は、押下部２の周壁部２２および装着筒２５に対して一体に接続されている。横筒部３１の後端開口部は、装着筒２５の内側に開口している。これにより、ノズル筒３内と装着筒２５内とが連通している。横筒部３１の内径は、後端側より前端側の方が大きくなっている。横筒部３１の前端上部には、下方に向けて窪む窪み部３７が形成されている。窪み部３７は、前方に向けて開口している。窪み部３７を画成する内面のうち、前方を向く段差面３２には、前方に向かって開口する凹部３２ａが形成されている。
【００１８】
下筒部３３は、横筒部３１の前端部から、下方に向かうに従い前方に向かうように僅かに傾斜した状態で延びている。下筒部３３の上部には、その前方を向く部分が後方に向けて窪むことにより、前方に開口する開口部３４が形成されている。開口部３４は、前後方向から見て横筒部３１の内側よりも下方に張り出すとともに、上端部が横筒部３１の内側の上端部と上下方向において一致している。下筒部３３のうち、開口部３４より下方に位置する下部における前側部分３３ａは、前方に突出している。
【００１９】
下筒部３３の下端部における前側部分３３ａは、上下方向に沿って垂下している。下筒部３３の下端開口縁のうち、後部は後端部から前方に向かうに従い下方に向かって傾斜し、前部は水平に延びている。下筒部３３の下端開口は、ノズル孔３０となっている。ノズル孔３０は、下方から見て前後方向に長い長円形状に形成されている（図２参照）。下筒部３３の前記下部における前側部分３３ａには、前方に向かって突出する係合突起３５（係合部）が形成されている。
【００２０】
図２に示すように、下筒部３３の外周面のうち、前後方向および上下方向に直交する左右方向を向く両側面には、それぞれ係合リブ３６（係合部）が形成されている。各係合リブ３６は、左右方向に向かって突出するとともに、上下方向に沿って延びている。係合リブ３６は、前方から後方に向かうに従い、左右方向の寸法が緩やかに大きくなっている。
【００２１】
図１に示すように、ノズル筒３には、ノズル孔３０をその径方向の外側から囲う囲繞筒４０が配設されている。囲繞筒４０は、後方が開口した有頂筒状に形成されている。囲繞筒４０の天壁部４４は、ノズル筒３の横筒部３１の窪み部３７に配設されている。囲繞筒４０の周壁部４５は、上方から下方に向かうに従い漸次拡径している。
【００２２】
周壁部４５の下端部は、ノズル孔３０を囲うスカート部４３となっている。スカート部４３は、ノズル孔３０よりも下方に突出している。スカート部４３の上端部の上下方向における位置は、下筒部３３の下端部における前側部分３３ａの上端部とほぼ同じ位置となっている。スカート部４３の上部４３ａは、ノズル孔３０から下方に向けて離れるに従い漸次拡径している。スカート部４３の上部４３ａは、周壁部４５のうちスカート部４３よりも上方の部分よりも上下方向に対する傾斜角度が大きくなっている。スカート部４３の下部４３ｂは、上部４３ａの下端縁から下方に向かって垂下している。ここで、上述したように、下筒部３３の下端部における前側部分３３ａは、上下方向に沿って垂下している。このため、下筒部３３の下端部における前側部分３３ａと、囲繞筒４０のスカート部４３の上部４３ａと、の間には、上方から下方に向かうに従い、ノズル孔３０の径方向に拡幅する隙間３８が形成されている。
【００２３】
囲繞筒４０のスカート部４３は、下方に向かって開口している。また、図２に示すように、囲繞筒４０は、下方から見て、後方に向かって開口するＵ字状となっており、ノズル孔３０の前方から後方にかけて囲っている。
【００２４】
図３に示すように、押下ヘッド１の縦断面視において、スカート部４３の内周面のうち、後方を向く部分の上端４３ｃと下端４３ｄとを結ぶ直線の上下方向に対する傾斜角θは、２０°以上４０°以下となっている。また、押下ヘッド１の縦断面視において、ノズル孔３０の内周面の前端部３０ａと、スカート部４３の内周面のうち後方を向く部分の下端４３ｄと、の上下方向における距離Ｌは、４ｍｍ以上、好ましくは６ｍｍ以下となっている。なお、距離Ｌを６ｍｍより大きくしても、後述するノズル孔３０から吐出される内容液の飛散を防止する機能が低下することはない。ただし、距離Ｌを６ｍｍ以下とすることで、押下ヘッド１の外観形状の向上を図ることができるとともに、ノズル孔３０からスカート部４３の下端縁までの距離が大きくなることにより、例えば掌をノズル孔３０の下方に配置して押下ヘッド１を押下する際等の使い易さの低下を抑制できる。
【００２５】
図１に示すように、囲繞筒４０は、ノズル筒３とヒンジ５を介して一体成形されている。ヒンジ５は、左右方向に沿って延在する屈曲可能な板部である。ヒンジ５は、囲繞筒４０の後側上端部と、ノズル筒３の段差面３２と、を連結している。
【００２６】
囲繞筒４０の前部には、囲繞筒４０を前後方向に貫通する係合孔部４１（係合部）が形成されている。係合孔部４１内には、ノズル筒３の係合突起３５が嵌合される。
また、図２に示すように、囲繞筒４０の内周面のうち左右方向を向く両側面には、それぞれ係合溝４６（係合部）が形成されている。係合溝４６は、左右方向に向かって凹むとともに、上下方向に沿って延びている。係合溝４６内には、ノズル筒３の係合リブ３６が嵌合され、係合溝４６の後端部が係合リブ３６の後端部に係止される。
図１に示すように、これら係合突起３５および係合孔部４１、並びに係合リブ３６および係合溝４６により、ヒンジ５回りに回動可能に構成された囲繞筒４０は、ノズル孔３０を覆った状態で下筒部３３に係止される。
【００２７】
囲繞筒４０の天壁部４４における下面には、下方に向かって開口する凹部４２が形成されている。凹部４２は、横筒部３１の窪み部３７を画成する内面のうち上方を向く面に閉塞されている。
【００２８】
以下、本実施形態の押下ヘッド１の作用について説明する。
押下ヘッド１を使用する際は、囲繞筒４０の係合孔部４１内にノズル筒３の係合突起３５を嵌合させるとともに、囲繞筒４０の各係合溝４６内にノズル筒３の各係合リブ３６を嵌合させ、囲繞筒４０がノズル孔３０をその径方向の外側から被覆した状態で行う。
【００２９】
押下部２の本体筒部２０における頂壁部２１の上面を掌や指等で押圧して、押下部２を押し下げ、押下部２とともにステム１１を押し下げる。すると、ポンプによって容器内の内容液がステム１１内を通って装着筒２５内に流入し、装着筒２５内からノズル筒３内に流入する。これにより、ノズル筒３にノズル孔３０から内容液が吐出される。この際、ノズル孔３０は、下方に向けて開口しているため、内容液は下方に向けて吐出される。
【００３０】
内容液を吐出した後のノズル筒３内には、内容液が残存し、この状態で押下ヘッド１を保管すると、外気との接触等によりノズル孔３０の先端部において内容液が固化する場合がある。この場合には、次回内容液を吐出する際に、内容液が固化した内容液に衝突することで、ノズル孔３０から内容液が例えば真横等の意図しない方向に向かって吐出される場合がある。
【００３１】
本実施形態によれば、ノズル孔３０をその径方向の外側から囲う囲繞筒４０のスカート部４３が、ノズル孔３０よりも下方に突出しているため、ノズル孔３０からその径方向外側に向かって吐出された内容液を囲繞筒４０のスカート部４３において受け止めることができる。したがって、押下ヘッド１は、内容液の飛散を防止できる。
【００３２】
しかも、囲繞筒４０のスカート部４３は、ノズル孔３０から下方に向けて離れるに従い漸次拡径しているため、ノズル孔３０内で内容液が固化していない通常状態の吐出時に、下方に向けて吐出された内容液がスカート部４３の内周面に付着することを抑制できる。したがって、例えば内容液がスカート部４３の内周面を伝って落下したり、スカート部４３の内周面にごみが付着したりする等の不具合を防止しつつ、内容液を下方に向けて吐出させることができる。
【００３３】
さらに、下筒部３３の下端部における前側部分３３ａと、囲繞筒４０のスカート部４３の上部４３ａと、の間には、隙間３８が形成されている。これにより、下筒部３３の下端縁は、スカート部４３から離れた状態で配置されるので、吐出器１０が装着された容器が倒れたとき等、その衝撃によってノズル孔３０から内容液が下筒部３３の下端縁を伝って、スカート部４３の内周面に付着する等の不具合を防止できる。
【００３４】
また、囲繞筒４０がノズル筒３とヒンジ５を介して一体成形されているため、囲繞筒４０をヒンジ５回りに回動させることで、囲繞筒４０をノズル筒３に対して所定の位置に容易に配設させることができる。
【００３５】
さらに、ノズル筒３の下筒部３３に装着された囲繞筒４０をヒンジ５回りに上方に向かって回動させて、囲繞筒４０をノズル筒３の下筒部３３から離脱させることもできる（図１における２点鎖線で示す状態）。これにより、下筒部３３が開放されるため、ノズル孔３０内で固化した内容液の除去を行うことも可能である。
【００３６】
また、囲繞筒４０およびノズル筒３にはそれぞれ、互いに係合する係合部（係合突起３５および係合孔部４１、並びに係合リブ３６および係合溝部４６）が各別に形成されているため、囲繞筒４０およびノズル筒３の相対的な位置ずれを確実に抑えることができる。
【００３７】
また、押下ヘッド１がノズル孔３０の下方に掌を配置した状態で使用される場合には、ノズル孔３０内で既に固化した内容液の影響によって、内容液がノズル孔３０からその下端開口面に対して下方に３０°傾いた角度範囲に吐出されると、その内容液を掌によって受け止めることができないことがある。
本実施形態によれば、押下ヘッド１の縦断面視において、スカート部４３の内周面のうち後方を向く部分の上端４３ｃと下端４３ｄとを結ぶ直線の上下方向に対する傾斜角θが２０°以上４０°以下であり、かつ、ノズル孔３０の内周面の前端部３０ａと、スカート部４３の内周面のうち後方を向く部分の下端４３ｄと、の上下方向における距離Ｌが４ｍｍ以上であるため、ノズル孔３０から前方に向かって吐出された内容液のうち、掌で受け止めることができない内容液を、スカート部４３によって受け止めることができる。したがって、内容液の飛散をより確実に防止することができる。
【００３８】
なお、本発明は、図面を参照して説明した上述の実施形態に限定されるものではなく、その技術的範囲において様々な変形例が考えられる。
例えば、上記実施形態においては、ヒンジ５が囲繞筒４０とノズル筒３とを連結しているが、これに限定されるものではなく、ヒンジが囲繞筒と押下部とを連結してもよい。すなわち、囲繞筒は、ノズル筒および押下部のうち何れか一方とヒンジを介して一体成形されていれば、上述の作用効果を奏功させることができる。
【００３９】
また、上記実施形態においては、囲繞筒４０がノズル筒３とヒンジ５を介して一体成形されていたが、これに限定されず、囲繞筒がノズル筒と別体で形成されていてもよい。
【００４０】
また、上記実施形態においては、ノズル筒３が軸線Ｏに直交する方向（水平方向）に沿って延びる横筒部３１と、横筒部３１の前端部から下方に向けて延びる下筒部３３と、を備えているが、これに限定されるものではない。ノズル筒は、水平方向に沿って延びるとともに、その前端部に下方に向けて開口するノズル孔が形成された横筒部のみを備えた構成であってもよい。この場合であっても、囲繞筒がノズル孔をその径方向の外側から囲うことで、内容液の飛散を防止することができる。
【００４１】
その他、本発明の趣旨を逸脱しない範囲で、上記した実施の形態における構成要素を周知の構成要素に置き換えることは適宜可能である。
【符号の説明】
【００４２】
１…押下ヘッド  ２…押下部  ３…ノズル筒  ５…ヒンジ  １１…ステム  ３０…ノズル孔  ３５…係合突起（係合部）  ３６…係合リブ（係合部）  ４０…囲繞筒  ４１…係合孔部（係合部）  ４３…スカート部  ４６…係合溝（係合部）
【図１】
0006454595.tif 000002
【図２】
0006454595.tif 000003
【図３】
0006454595.tif 000004